(57)【要約】【課題】  分岐ブレーカの取り付けスペースを狭めることなく、かつ、入力電源線と容易に電気的に接続できる避雷器を備えた避雷器付分電盤を提供する。【解決手段】  配線用遮断器と接続した導電部のカバー、配線用遮断器の端子部カバー又は導電部の支持部材のいずれかに避雷器を設ける。例えば、配線用遮断器と接続した導電部が主幹バー４との間に介在させたリードバー７であり、該リードバー７を絶縁被覆するリードバーカバー８に避雷器９を設ける。【選択図】  図１
2006166622.tif 000002
【特許請求の範囲】
【請求項１】
配線用遮断器と接続した導電部のカバー、配線用遮断器の端子部カバー又は導電部の支持部材のいずれかに避雷器を設けたことを特徴とする避雷器付分電盤。
【請求項２】
配線用遮断器と接続した導電部が主幹バーとの間に介在させたリードバーであり、該リードバーのリードバーカバーに避雷器を設けた請求項１に記載の避雷器付分電盤。
【請求項３】
配線用遮断器が主幹用ブレーカであり、該主幹用ブレーカの電源側と負荷側のどちらか一方の端子部カバーに避雷器を設けた請求項１に記載の避雷器付分電盤。
【請求項４】
３極の分岐ブレーカである配線用遮断器の負荷側の端子部カバーに設けた請求項１に記載の避雷器付分電盤。
【請求項５】
導電部である主幹バーを支持する支持部材に避雷器を設けた請求項１に記載の避雷器付分電盤。
【請求項６】
避雷器をプラグイン式ユニットにして着脱自在として設けた請求項１から５のいずれか１項に記載の避雷器付分電盤。
【発明の詳細な説明】
【技術分野】
【０００１】
本発明は、避雷器付分電盤に関するものである。
【背景技術】
【０００２】
従来の避雷器付分電盤は、避雷器を分岐ブレーカの取り付けスペースに取り付けたうえ各主幹バーと電気的に接続して、入力電源線を介して侵入してくる雷等のサージ電圧を吸収して、サージ電圧から分岐ブレーカの負荷側に接続したテレビ、パソコン等の電気・電子機器類を保護するものである（例えば、特許文献１参照）。ところが、これは避雷器の取り付けが容易であるが、避雷器を単体として構成していることから分岐ブレーカの取り付けスペースをその分狭めてしまう問題がある。
【特許文献１】特開平１０−２５７６１７号公報（図１）
【発明の開示】
【発明が解決しようとする課題】
【０００３】
本発明は前記のような問題点を解決して、分岐ブレーカの取り付けスペースを使用することなく、かつ、入力電源線と容易に電気的に接続できる避雷器を備えた避雷器付分電盤を提供することである。
【課題を解決するための手段】
【０００４】
本発明の避雷器付分電盤は、配線用遮断器と接続した導電部のカバー、配線用遮断器の端子部カバー又は導電部の支持部材のいずれかに避雷器を設けたことを特徴とするものを請求項１に係る発明とする。そして、この請求項１に係る発明において、主幹用ブレーカである配線用遮断器と接続した導電部が主幹バーとの間に介在させたリードバーであり、該リードバーのカバーに避雷器を設けたものを請求項２に係る発明とし、また、配線用遮断器が主幹用ブレーカであり、該主幹用ブレーカの電源側と負荷側のどちらか一方の端子部カバーに避雷器を設けたものを請求項３に係る発明とし、また、３極の分岐ブレーカの負荷側の端子部カバーに設けたものを請求項４に係る発明とし、また、導電部である主幹バーを支持する支持部材に避雷器を設けたものを請求項５に係る発明とする。さらに、これらの発明において、避雷器をプラグイン式ユニットにして着脱自在としたものを請求項６に係る発明とする。
【発明の効果】
【０００５】
請求項１から請求項５に記載した発明は、配線用遮断器と接続した導電部のカバー、配線用遮断器の端子部カバー又は導電部の支持部材のいずれかに避雷器を設けたものであるから、分岐ブレーカの取り付けスペースを狭めることがなく、また、別異に取り付けスペースを確保する必要がないので分電盤の大きさを小さくできるものである。
【０００６】
また、請求項６の発明は、避雷器をプラグイン式ユニットにして着脱自在としているので、避雷器が雷サージを受けての故障や耐用年数の経過等で避雷機能の劣化により交換が必要とした場合に避雷器を設けた導電部のカバー、端子部カバー又は導電部の支持部材の全体を交換することなくプラグイン式ユニットにした避雷器のみを交換するだけでよいので交換が容易であるうえ交換部品が少なく交換コストが安く済むものである。
【発明を実施するための最良の形態】
【０００７】
次に、本発明の好ましい実施の形態を図面に基づき説明する。
【０００８】
〔第１の実施形態〕
先ず、請求項１、２及び６の発明に対応する第１の実施形態を図１から図７を参照して説明する。
図１において、１はカバーを外した状態の分電盤のケース本体であり、該ケース本体１には単相三線式の入力電源と接続する主幹用の配電用遮断器である３極の主幹ブレーカ２と多数の分岐用の配電用遮断器である２極の分岐ブレーカ３が搭載されている。前記分岐ブレーカ３は主幹ブレーカ２の側方に横方向に配設した導電部で３本の主幹バー４の幅方向両側に設けた分岐ブレーカ取付用のスペースである分岐ブレーカ取付台５に取り付けられて、任意の２本の主幹バー４と２極の電源側端子部を電気的に接続して１００Ｖ又は２００Ｖの配電を受けている。なお、前記３本の主幹バー４は支持ホルダー６により支持して絶縁距離をおいて段積みしたもので、プラグイン式とした分岐ブレーカ３の電源側端子部を接続している。
【０００９】
また、主幹ブレーカ２の負荷側の各端子部２ａと３本の主幹バー４との間は導電部の１つである３本のリードバー７を介在させて電気的に接続している。この３本のリードバー７は図４に示すようにそれぞれ先端に主幹バー４と接続する接続端子部７ａを設けた縦リードバー部７１の基端に屈曲させた前記主幹ブレーカ２の負荷側の端子部２ａに臨む横リードバー部７２に該端子部２ａと接続する接続端子板部７ｂを連設したものである。
【００１０】
８は３本のリードバー７の基端側である横リードバー部７２を絶縁被覆するリードバーカバー８である。このリードバーカバー８には避雷器９が設けられており、該避雷器９は各電源側端子９ａを各リードバー７と電気的に接続してアース端子９ｂをケース本体１内に引き込んだ接地電線の端子部１０とアース用電線により接続している。この避雷器９は入力電源線を介して侵入してくる雷等のサージ電圧を吸収して、サージ電圧から分岐ブレーカの負荷側に接続したテレビ、パソコン等の電気・電子機器類を保護するものである。
【００１１】
図示のリードバーカバー８は各リードバー７の横リードバー部７２と該横リードバー部７２に連設した接続端子板部７ｂの基端の立上り板部７ｃを組込む前面を開口とした横箱状のものであり、該リードバーカバー８は前記立上り板部７ｃが臨む背面板部８１に放熱用の縦スリット８１ａを設けたものである。そして、該リードバーカバー８には避雷器取付カバー１１を介して避雷器９が着脱自在に取り付けられている。
【００１２】
すなわち、避雷器取付カバー１１は図４、図５に示すようにリードバーカバー８を背部から囲装するとカバー本体１１ａの背面に上部から下方に向けてＵ字状に形成した凹段部１１ｂを設けて該凹段部１１ｂの底段部１１ｃに前記各リードバー７と電気的に接続する端子受金具１１ｄを上向きに配設し、また、前記避雷器ケース９０の前方に張り出した該凹段部１１ｂに嵌合する凸段部９０ａの下端面に差込金具よりなる避雷器の電源側端子９ａを配置して、凸段部９０ａを凹段部１１ｂに嵌合する際に自動的に電源側端子９ａが端子受金具１１ｃに接続されるものとしている。なお、この場合に避雷器ケース９０が装着後に衝撃・振動等により離脱して落下することを防止するため避雷器ケース９０と避雷器取付カバー１１の間に図７に示すように係止具９１を設けることが好ましい。また、各リードバー７と端子受金具１１ｄと電気的に接続する手段は、図示のものは前記放熱用の縦スリット８１ａの外側から各リードバー７の立上り板部７ｃと当接する金属ばね板から端子板１１１を背面板部８１の内面に添うように挿入して該端子板１１１の両側の爪片１１１ａ、１１１ａを縦スリット８１ａの孔縁外側に係止させて該爪片１１１ａと端子受金具１１ｄとをリード線１１１ｂで接続したものである。
【００１３】
前記のように端子受金具１１ｄを設けた避雷器取付カバー１１を介して避雷器９をリードバーカバー８に着脱自在とする構成としたことにより、既設のリードバーカバー８に特別の加工を施すことなく避雷器９を設けることができるものである。また、リードバーカバー８には蝶番部８ａを介して主幹ブレーカ２の負荷側の端子部２ａを覆う端子部カバー１２が一体として連設されている。
【００１４】
このように構成されたものは、配線用遮断器である主幹ブレーカ２と接続した導電部の１つのリードバー７を被覆するカバーであるリードバーカバー８に避雷器９を設けたものであるから、分岐ブレーカ３の取り付けスペースを狭めることがなく、また、別異に取り付けスペースを確保する必要がないので分電盤の大きさを小さくできるものである。
【００１５】
そして、図示のように避雷器９を避雷器ケース９０に内蔵してプラグイン式ユニットとしてリードバーカバー８に着脱自在とすれば、避雷器９が雷サージを受けて故障した場合や耐用年数の経過等で避雷機能の劣化により交換が必要とした場合にプラグイン式ユニットにした避雷器９のみを交換するだけでよいので交換が容易であるうえ交換部品が少なく交換コストが安く済むものである。
なお、この実施形態は単相三線式の入力電源に対応した分電盤につき説明したが動力用の三相三線式の入力電源とした分電盤にも対応できるものである。
【００１６】
〔第２の実施形態〕
次に、請求項１、３及び６の発明に対応する第２の実施形態を図８から図１２を参照して説明する。
図８において、１はカバーを外した状態の分電盤のケース本体であり、該ケース本体１には単相三線式の入力電源に接続する主幹用の配電用遮断器である３極の主幹ブレーカ２と多数の分岐用の配電用遮断器である２極の分岐ブレーカ３が搭載されている。前記分岐ブレーカ３は主幹ブレーカ２の側方に横方向に配設した絶縁距離をおいて段積みした３本の主幹バー４の両側に設けた分岐ブレーカ３の取付用のスペースである分岐ブレーカ取付台５に取り付けられて、任意の２本の主幹バー４と２極の電源側端子部を電気的に接続して１００Ｖ又は２００Ｖの配電を受けている。
【００１７】
この第２の実施形態は、主幹用ブレーカ２の電源側と負荷側の端子部２ａ、２ａを覆う端子部カバー１２のどちらか一方のすなわち図８、図９に示すものは負荷側の端子部２ａを覆う端子部カバー１２に避雷器９を設けたものである。この避雷器９は端子部カバー１２の基端に連設した避雷器収納ケース部１２ａに組込まれている。そして、該避雷器９の各電源側端子９ａは主幹用ブレーカ２の負荷側の各端子部２ａと電気的に接続してアース端子９ｂをケース１内に引き込んだ接地電線の端子部１０とアース用電線により接続するものである。
【００１８】
なお、図示のものは避雷器９の各電源側端子９ａは主幹用ブレーカ２の負荷側の各端子部２ａと電気的に接続する手段としては、各電源側端子９ａを端子部カバー１２の上板部１２１の裏面に下端に開口を形成した円弧状接続プラグとして、各端子部２ａと各主幹バー４との間を接続する幹線用被覆電線１３の先端に取り付けた圧着端子１３ａの筒状の圧着部１３ｂに上方から係合させて、該圧着端子１３ａを介して主幹用ブレーカ２の負荷側の各端子部２ａと電気的に接続するものとしている。
【００１９】
また、各円弧状接続プラグは端子部カバー１２の上板部１２１に設けた雌ねじ部１２２に螺合した雄ねじ１２３を進出するように締め付けることによりその先端により押圧されて圧着端子１３ａの筒状の圧着部１３ｂに接圧を強固とするものとしている。この場合に図１１に示すように雄ねじ１２３の先端と円弧状接続プラグの頂部との間に絶縁物１２４を介在させておけば活線作業が可能となる。なお、雄ねじ１２３の頭部を被覆する保護カバー１２５を設けることが好ましい。また、各円弧状接続プラグは端子部カバー１２の上板部１２１から垂設した隔壁板１２６により夫々絶縁するものとしている。
【００２０】
なお、図１２に示すように避雷器９を主幹用ブレーカ２の電源側の端子部２ａを覆う端子部カバー１２に設けて該避雷器９の電源端子部を入力用電源線１６の端子部の圧着部と電気的に接続したものであってもよい。この場合には避雷器９の交換時の安全性ため主幹用ブレーカ２の上流側に開閉器を設置することが好ましい。また、避雷器９は端子部カバー１２に内蔵したものとしているが、避雷器９を避雷器ケースに内蔵してなるプラグイン式ユニットとして端子部カバー１２に着脱自在としてもよい。
【００２１】
このように構成されたものは、主幹用ブレーカ２の電源側と負荷側の端子部２ａ、２ａを覆う端子部カバー１２のどちらか一方のすなわち負荷側の端子部２ａを覆う端子部カバー１２に避雷器９を設けたものであるから、分岐ブレーカ３の取り付けスペースを狭めることがないものである。また、避雷器９を組込む端子部カバー１２の基端に連設した避雷器収納ケース部１２ａは、各端子部２ａと各主幹バー４との間を接続する幹線用被覆電線１３の上部に位置するので、別異に取り付けスペースを確保する必要がないので分電盤の大きさを小さくできるものである。
【００２２】
また、避雷器９を避雷器ケースに内蔵してなるプラグイン式ユニットとして端子部カバー１２に着脱自在とすれば、避雷器が雷サージを受けて故障した場合や耐用年数の経過等で避雷機能の劣化により交換が必要とした場合にユニットにした避雷器のみを交換するだけでよいので交換が容易であるうえ交換部品が少なく交換コストが安く済むものである。
なお、この実施形態は単相三線式の入力電源に対応した分電盤につき説明したが動力用の三相三線式の入力電源とした分電盤にも対応できるものである。
また、この実施形態は幹線用被覆電線１３につき説明したが、第１の実施形態で説明したようなリードバー７を各端子部２ａと各主幹バー４間の接続に用い、各電源側端子９の形状をリードバー７、または端子ネジと対応させてこれらと接続できるものとしてもよい。
【００２３】
〔第３の実施形態〕
続いて、請求項１、４及び６の発明に対応する第３の実施形態を図１３を参照して説明する。
図１３において、１はカバーを外した状態の分電盤のケース本体であり、該ケース本体１には三相三線式の入力電源に接続する主幹用の配電用遮断器である３極の主幹ブレーカ２と多数の分岐用の配電用遮断器である２極の分岐ブレーカ３と３極の分岐ブレーカ３ａが搭載されている。前記２極の分岐ブレーカ３と３極の分岐ブレーカ３ａは主幹ブレーカ２の側方に横方向に配設した絶縁距離をおいて段積みした３本の主幹バー４の両側に設けた分岐ブレーカ取付用のスペースである分岐ブレーカ取付台５に取り付けられて、２極の分岐ブレーカ３は任意の２本の主幹バー４と接続して電灯用配線を行い、３極の分岐ブレーカ３ａは３本の主幹バー４と接続して動力用配線を行うものである。
【００２４】
そして、この第３の実施形態は避雷器９を３極の分岐ブレーカ３ａである配線用遮断器の負荷側の端子部カバー１２を設けて、該避雷器９の各電源側端子を分岐ブレーカ３ａの負荷側の各端子部と電気的に接続してアース端子９ｂをケース１内に引き込んだ接地電線の端子部１０とアース用電線により接続している。
【００２５】
このように構成されたものは、避雷器９を３極の分岐ブレーカ３ａの負荷側の端子部カバー１２に設けたものであるから、避雷器９が分岐ブレーカ３の取り付けスペースを狭めることがないものである。また、避雷器９を避雷器ケースに内蔵してなるプラグイン式ユニットとして端子部カバー１２に着脱自在とすれば、避雷器が雷サージを受けて故障した場合や耐用年数の経過等で避雷機能の劣化により交換が必要とした場合にユニットにした避雷器のみを交換するだけでよいので交換が容易であるうえ交換部品が少なく交換コストが安く済むものである。
なお、この実施形態は三相三線式の入力電源に対応した分電盤につき説明したが、電灯用の単相三線式の入力電源に対応した分電盤にも対応できるものである。
【００２６】
〔第４の実施形態〕
続いて、請求項１、５及び６の発明に対応する第４の実施形態を、図１４及び図１５を参照して説明する。
図１４において、１はカバーを外した状態の分電盤のケース本体であり、該ケース本体１には単相三線式の入力電源に接続する主幹用の配電用遮断器である３極の主幹ブレーカ２と多数の分岐用の配電用遮断器である２極の分岐ブレーカ３が搭載されている。前記分岐ブレーカ３は主幹ブレーカ２の側方に横方向に配設した絶縁距離をおいて段積みした３本の主幹バー４の両側に設けた分岐ブレーカ３の取付用のスペースである分岐ブレーカ取付台５に取り付けられて、任意の２本の主幹バー４と２極の電源側端子部を電気的に接続して１００Ｖ又は２００Ｖの配電を受けている。
【００２７】
そして、この第３の実施形態は、導電部の１つである主幹バー４を支持する支持ホルダー６に避雷器９を設けて、該避雷器９の各電源側端子を主幹バー４と電気的に接続してアース端子９ｂをケース１内に引き込んだ接地電線の端子部１０とアース用電線により接続している。
【００２８】
このように構成されたものは、主幹バー４を支持する支持ホルダー６に避雷器９を設けたものであるから、分岐ブレーカ３の取り付けスペースを狭めることがないものである。また、避雷器９を避雷器ケースに内蔵してなるプラグイン式ユニットとして支持ホルダー６に着脱自在とすれば、避雷器が雷サージを受けて故障した場合や耐用年数の経過等で避雷機能の劣化により交換が必要とした場合にユニットにした避雷器のみを交換するだけでよいので交換が容易であるうえ交換部品が少なく交換コストが安く済むものである。
なお、この実施形態は単相三線式の入力電源に対応した分電盤につき説明したが動力用の三相三線式の入力電源に対応した分電盤にも対応できるものである。
【図面の簡単な説明】
【００２９】
【図１】第１の実施形態を示す一部切欠正面図である。
【図２】第１の実施形態の要部を示す正面図である。
【図３】第１の実施形態の要部を分解して示す斜視図である。
【図４】第１の実施形態の要部を分解して示す斜視図である。
【図５】第１の実施形態の要部を分解して示す斜視図である。
【図６】第１の実施形態の要部を分解して示す斜視図である。
【図７】第１の実施形態の他例の要部を示す斜視図である。
【図８】第２の実施形態を示す一部切欠正面図である。
【図９】第２の実施形態の要部を分解して示す斜視図である。
【図１０】第２の実施形態の要部を示す斜視図である。
【図１１】第２の実施形態の雄ねじの先端と円弧状接続プラグの頂部との関係を示す概略断面図である。
【図１２】第２の実施形態の他例を示す一部切欠正面図である。
【図１３】第３の実施形態を示す一部切欠正面図である。
【図１４】第４の実施形態を示す一部切欠正面図である。
【図１５】第４の実施形態の要部を示す斜視図である。
【符号の説明】
【００３０】
２  主幹ブレーカ
３  分岐ブレーカ
４  主幹バー
６  支持ホルダー
７  リードバー
８  リードバーカバー
９  避雷器
12  端子部カバー
【図１】
2006166622.tif 000003
【図２】
2006166622.tif 000004
【図３】
2006166622.tif 000005
【図４】
2006166622.tif 000006
【図５】
2006166622.tif 000007
【図６】
2006166622.tif 000008
【図７】
2006166622.tif 000009
【図８】
2006166622.tif 000010
【図９】
2006166622.tif 000011
【図１０】
2006166622.tif 000012
【図１１】
2006166622.tif 000013
【図１２】
2006166622.tif 000014
【図１３】
2006166622.tif 000015
【図１４】
2006166622.tif 000016
【図１５】
2006166622.tif 000017